(57)【要約】      （修正有）【課題】屋外に於けるイベント・コンサート・祭り、スポーツ施設・公共施設等人の集まる所で出るゴミを簡易な構造尚且つ利便性の良い折畳式ゴミ袋スタンドを提供する。【解決手段】上部枠可動部５で接続された上部枠２、上部可動部６及び脚可動部７で接続され、尚且つ下部底板４を有する脚部３で構成される。上部枠可動部５を持ち上げる事で折り畳め、折り畳んだ状態から上部枠２の端部を持ち上げる事で広げゴミ袋を装着出来、口紐付きポリ袋の紐をフック８に引っ掛けゴミ袋の飛散防止及び脱落防止させ、口紐なしのゴミ袋を使用する場合は上部枠２の端部を少し持ち上げ口紐なしゴミ袋の上部を上部枠２に折り返し上部枠２の端部を下げる事によりゴミ袋の飛散防止及び脱落防止とさせ、フックを外し或は上部枠２の端部を少し持ち上げる事によりゴミ袋を取り外せ、ゴミが大量に出る場合を予測し、予備のゴミ袋を保管するバスケットを有する。【選択図】図１
0003190082.tif 000002
【実用新案登録請求の範囲】
【請求項１】
本案のゴミスタンドは、サイズの異なるゴミ袋を保持するために上部枠（２）は２分割され、分割部は複数の係止用ボルト穴を加工し、ゴミ袋のサイズに合わせ適切な位置で上部枠可動部（５）にてボルト接合されており、該上部枠（２）は、下部底板（４）と２本の脚部（３）が溶接接合され、且つ脚部（３）は下部底板（４）から略２：１の位置で可動可能にボルト接合された２対のＸ型に交差する脚と可動可能にボルト接合されており、ゴミが大量に出る場合を予測し、予備のゴミ袋を保管するバスケット（１１）を上部枠（２）に係止した構造を有し、上部枠可動部（５）を持ち上げる事で折り畳め、折り畳んだ状態から上部枠（２）の端部を持ち上げる事で広げゴミ袋を装着出来、口紐付きポリ袋の紐をフック（８）に引っ掛けゴミ袋の飛散防止及び脱落防止させ、又口紐なしのゴミ袋を使用する場合は上部枠（２）の端部を少し持ち上げ口紐なしゴミ袋の上部を上部枠（２）に折り返し上部枠（２）の端部を下げる事によりゴミ袋の飛散防止及び脱落防止とさせ、フックを外し或は上部枠（２）の端部を少し持ち上げる事によってゴミ袋を取り外すことがでることを特徴とする折り畳みゴミスタンド。
【考案の詳細な説明】
【技術分野】
【０００１】  本考案はゴミ袋を保持する折畳式ゴミ袋スタンドの構造に関するものであり、更に詳しくは、折畳んで移動ができ、簡単にゴミ袋が容易に外れる事無く、尚且つ安易に取り外す事が出来るとともに、予備のゴミ袋を備えた折畳式ゴミ袋スタンドの構造に関するものである。
【背景技術】
【０００２】  ゴミを収容するには一般的にゴミ箱を用いる。但し屋外イベント・祭り等に於いては、多量にゴミを投入する場合短時間に一杯にり、その都度ゴミ袋に詰め替えるのは手間が掛かる。
ゴミ袋を屋外に単品で設置した場合、風によってゴミ袋が飛んで紛失する事も考えられる。
また、イベント会場等では、ゴミの回収作業の前に満杯に成る事も有り、景観及び衛生上好ましくない。
大量のゴミが出る場合は、予備のゴミ袋をゴミスタンドのそばに置く事も考えられるが、予備のゴミ袋はも考えられる。
このような問題に鑑みて、ゴミ袋用ゴミスタンドが考案されている。しかし持ち運び、多量のゴミへの対応等に難が見受けられる。
かかる問題点を解決するために、ゴミ袋用ゴミスタンドに関する発明考案が特許文献１〜３に開示されている。【０００３】  特許文献１においては、固定式或は組立式でであり、短時間に簡単に折りたたむことができず、ゴミ袋スタンドを移動を要する場合に難が有る。
実用新案文献２においては、口紐付きのゴミ袋以外のゴミ袋を使用する場合は、ゴミ袋をゴミ袋スタンドに固定する仕掛けがなく、ゴミ袋は風で飛ばされることが考えられる。
以上文献１〜２の発明は、ゴミ袋の保持に主眼が置かれており、ゴミ袋スタンドの移動、予備のゴミ袋への取替  及び  風等によるゴミ袋の飛散は考慮されていない。
屋外等でのゴミ収集においてゴミ袋スタンドの移動、予備のゴミ袋への取替及び容易で風に飛ばない構造のゴミ袋用ゴミスタンドが求められているのが現状である。
【先行技術文献】
【特許文献】
【０００４】
【特許文献１】特許  第４０１５９７１号公報
【実用新案文献２】
実用新案  第３０３８２４０号公報
【考案の概要】
【考案が解決しようとする課題】
【０００５】    本考案は、かかる問題点に鑑みて為されたものであって、その目的は、ゴミ袋スタンドが容易に折畳み移動が可能であり、且つ風で飛ばないようゴミ袋を保持し、且つ予備のゴミ袋を収容出来る構造を提供する事である。
【課題を解決するための手段】
【０００６】本考案は下記の構成からなる。
すなわち、
上部枠可動部５で接続された上部枠２、上部可動部６及び脚可動部７で接続され尚且つ下部底板４を有する脚部３で構成されたゴミスタンド１であって、上部枠可動部５を持ち上げる事で折り畳め、折り畳んだ状態から上部枠２の端部を持ち上げる事で広げゴミ袋を装着出来、口紐付きゴミ袋の紐を使用する場合はこれををフック８に引っ掛けゴミ袋の飛散防止及び脱落防止させ、又口紐のないゴミ袋を使用する場合は上部枠２の端部を少し持ち上げゴミ袋の上部を上部枠２に折り返し上部枠２の端部を下げる事によりゴミ袋の飛散防止及び脱落防止とし、フックを外し或は上部枠２の端部を少し持ち上げる事によってゴミ袋を取り外すことができ、またゴミが大量に出る場合を予測し、予備のゴミ袋を保管するバスケット１１を有することを特徴とする折り畳みゴミスタンド。【０００７】  前記下部底板４は折り畳んで直立させた状態においてもスペースを有しているためゴミスタンド１を転倒させない役割をする。【０００８】  上部枠２において上部枠可動部５はサイズの異なるゴミ袋に対応させる為上部枠可動部５の取り付けボルト用の穴を複数設けてボルトナットの締結位置を変更することにより、簡易に拡縮可能とし、サイズの異なるゴミ袋に取り換えられる構造を有している。
【考案の効果】
【０００９】  ▲１▼折り畳んだ状態で移動出来る折り畳みゴミスタンドである。
▲２▼折り畳んだ状態・折り畳み及び組み立て過程の状態でも転倒しないゴミスタンドである。
▲３▼折り畳み及び組み立てが容易なゴミスタンドである。
▲４▼口紐付きポリ袋等を取り付ける場合飛散防止及び脱落防止のフックを有したゴミス袋スタンドである。
▲５▼口紐無しのゴミ袋を取り付ける場合上部枠の傾きでゴミ袋上部を押し広げる形で飛散防止及び脱落防止とするゴミスタンドである。
▲６▼構造が簡単な折り畳みゴミスタンドである。
▲７▼ゴミ袋の大きさにも対応できるゴミスタンドである。
【図面の簡単な説明】
【００１０】
【図１】実施形態に係る折り畳みゴミスタンドを組み立てた状態における斜視図である。
【図２】実施形態に係る折り畳みゴミスタンドを組み立てた状態における正面図である。
【図３】実施形態に係る折り畳みゴミスタンドを組み立てた状態における左側面図である。
【図４】実施形態に係る折り畳みゴミスタンドの組み立てた状態における平面図である
【図５】実施形態に係る折り畳みゴミスタンドの折り畳んだ状態における正面図である。
【図６】実施形態に係る折り畳みゴミスタンドの折り畳んだ状態における左側面図である。
【図７】実施形態に係る折り畳みゴミスタンドを使用する状態における斜視図である。
【図８】実施形態に係る折り畳みゴミスタンドに於いて口紐付きゴミ袋を使用した状態における斜視図である。
【考案を実施するための形態】
【００１１】  以下本考案の実施の形態を示す図面に基づき説明する。
【００１２】  図１は、本考案の折り畳みゴミスタンドを組み立てた状態における斜視図である。
折り畳みゴミスタンド１は上部枠２、脚部３、底板４、上部枠可動部５、上部可動部６、脚可動部７、フック８からなり、上部枠２は上部枠可動部５によって回動自在に枢着されており、上部枠可動部５を持ち上げることによって脚部３も可動し、簡易に折りたたみできる構造になっている。
【００１３】  図２は正面図であり、図３は左側面図である。
図２において、上部枠可動部５に複数ボルト穴を設けることによってサイズが異なるゴミ袋を取り付けることも可能とした。
【００１４】  図４は、平面図である。
【００１５】  図５は、折り畳んだ状態における正面図であり、図６は折り畳んだ状態における左側面図である。
【００１６】  図７は折り畳みゴミスタンド１を使用する状態における斜視図であり、ゴミ袋の上部を上部枠２に折り返すことによってゴミ袋の飛散防止及び脱落防止する構造となっている。
【００１７】  図８は折り畳みゴミスタンド１に於いて口紐付きポリ袋を使用する状態における斜視図であり、フック９に口紐を取り付ける様子を示している。
【００１８】  以上の通り、本考案は、ゴミを貯留するゴミ袋を保持する折り畳み式ゴミスタンドの構造に関するものであり、更に詳しくは、簡単に折り畳みゴミ袋が容易に外れる事無く、尚且つ安易に取り外す事が出来るゴミスタンドである。又、不使用時には折り畳んで狭いスペースにも収納出来る工夫も備えている。
【符号の説明】
【００１９】１．  折り畳みゴミスタンド
２．  上部枠
３．  脚部
４．  底板
５．  上部枠可動部
６．  上部可動部
７．  脚可動部
８．  フック
９．  口紐なしゴミ袋
１０．口紐付きゴミ袋
１１．バスケット
【図１】
0003190082.tif 000003
【図２】
0003190082.tif 000004
【図３】
0003190082.tif 000005
【図４】
0003190082.tif 000006
【図５】
0003190082.tif 000007
【図６】
0003190082.tif 000008
【図７】
0003190082.tif 000009
【図８】
0003190082.tif 000010